(57)【要約】高精細度映像信号は、映像コンバータシステムにおける前フィルタ処理及びダウンサンプル処理によって標準品位画像サイズにされる。フィールドレート・アップコンバージョンのため採用された標準品位動き推定器は、標準品位画像の動きベクトルを推定するため使用される。得られた動きベクトルは、倍率をかけられ、高精細度画像に対するフィールドレートの動き補償付きのアップコンバージョンにおいて使用する動き平滑化のため後処理される。関連したメモリ及び帯域要求量、並びに、全体的なコストは、画質を維持したままで、フィルム素材を高精細度ビデオへ動き補償付きでフィールドレート・アップコンバージョンする消費者電子機器を商業的に実現可能にさせる。
2004515980.tif 000002
【特許請求の範囲】
【請求項１】
フィルム素材を高精細度映像へ動き補償付きでフィールドレート・アップコンバージョンする費用効果率の高い映像コンバータシステムであって、
標準精細度サイズフィールドの動き補償付きのフィールドレート・アップコンバージョンのため動きベクトルを生成する標準精細度動き推定器と、
高精細度フィールドレート・アップコンバージョンで使用するため動きベクトルに倍率をかけるスケーリングユニットと、
高精細度サイズフィールドの動き補償付きのフィールドレート・アップコンバージョンのためスケーリングされた動きベクトルを利用するフィールドレート変換器と、
を有する映像コンバータシステム。
【請求項２】
受信した高精細度サイズフィールドを、標準精細度動き推定器が動きベクトルを生成する標準精細度サイズフィールドへダウンサンプリングするダウンサンプリングユニットを更に有する請求項１記載の映像コンバータシステム。
【請求項３】
スケーリングユニットは、フィールドレート・アップコンバージョンされた高精細度サイズフィールド内での動き平滑化のためスケーリングされた動きベクトルを後処理する、請求項２記載の映像コンバータシステム。
【請求項４】
フィールドレート変換器は、前のフレームからの動き補償された画素値と後のフィールドからの動き補償された画素値の差が閾値の範囲内に収まるならば、中間フィールドの動き補償の平均化を利用する、請求項２記載の映像コンバータシステム。
【請求項５】
フィールドレート変換器は、中間フィールドのための動き補償を実行する際に、中間フィールドの動き補償された画素値として、前のフレームからの動き補償された画素値と後のフレームからの動き補償された画素値のうちの一方を選択する、請求項２記載の映像コンバータシステム。
【請求項６】
フィールドレート変換器は、前のフレームからの動き補償された画素値と中間フィールドにおける予備動き補償された画素値の差が閾値量未満である場合に、中間フィールドにおける動き補償された画素値として前のフレームから動き補償された画素値を選択する、請求項５記載の映像コンバータシステム。
【請求項７】
前のフレームからの動き補償された画素値と中間フィールドＣにおける予備動き補償された画素値の差が閾値量未満である場合に、フィールドレート変換器は、後のフレームからの動き補償された画素値と中間フィールドにおける予備動き補償された画素値の差が閾値量未満である場合に、中間フィールドにおける動き補償された画素値として後のフィールドからの動き補償された画素値を選択する、請求項６記載の映像コンバータシステム。
【請求項８】
映像信号を受信する入力と、
フィルム素材を高精細度映像へ動き補償付きでフィールドレート・アップコンバージョンする費用効果率の高い映像コンバータと、
を具備し、
映像コンバータは、
標準精細度サイズフィールドの動き補償付きのフィールドレート・アップコンバージョンのため動きベクトルを生成する標準精細度動き推定器と、
高精細度フィールドレート・アップコンバージョンで使用するため動きベクトルに倍率をかけるスケーリングユニットと、
高精細度サイズフィールドの動き補償付きのフィールドレート・アップコンバージョンのためスケーリングされた動きベクトルを利用するフィールドレート変換器と、
を有する、
ビデオ受像機。
【請求項９】
映像コンバータは、受信した高精細度サイズフィールドを、標準精細度動き推定器が動きベクトルを生成する標準精細度サイズフィールドへダウンサンプリングするダウンサンプリングユニットを更に有する、請求項８記載のビデオ受像機。
【請求項１０】
スケーリングユニットは、フィールドレート・アップコンバージョンされた高精細度サイズフィールド内での動き平滑化のためスケーリングされた動きベクトルを後処理する、請求項９記載のビデオ受像機。
【請求項１１】
フィールドレート変換器は、前のフレームからの動き補償された画素値と後のフィールドからの動き補償された画素値の差が閾値の範囲内に収まるならば、中間フィールドの動き補償の平均化を利用する、請求項９記載のビデオ受像機。
【請求項１２】
フィールドレート変換器は、中間フィールドのための動き補償を実行する際に、中間フィールドの動き補償された画素値として、前のフレームからの動き補償された画素値と後のフレームからの動き補償された画素値のうちの一方を選択する、請求項９記載のビデオ受像機。
【請求項１３】
フィールドレート変換器は、前のフレームからの動き補償された画素値と中間フィールドにおける予備動き補償された画素値の差が閾値量未満である場合に、中間フィールドにおける動き補償された画素値として前のフレームから動き補償された画素値を選択する、請求項１２記載のビデオ受像機。
【請求項１４】
前のフレームからの動き補償された画素値と中間フィールドＣにおける予備動き補償された画素値の差が閾値量未満である場合に、フィールドレート変換器は、後のフレームからの動き補償された画素値と中間フィールドにおける予備動き補償された画素値の差が閾値量未満である場合に、中間フィールドにおける動き補償された画素値として後のフィールドからの動き補償された画素値を選択する、請求項１３記載のビデオ受像機。
【請求項１５】
フィルム素材を高精細度映像に高い費用効果率で動き補償付きでフィールドレート・アップコンバージョンする方法であって、
標準精細度サイズフィールドの動き補償付きのフィールドレート・アップコンバージョンのため動きベクトルを生成する手順と、
高精細度フィールドレート・アップコンバージョンで使用するため動きベクトルに倍率をかけるスケーリング手順と、
高精細度サイズフィールドの動き補償付きのフィールドレート・アップコンバージョンのためスケーリングされた動きベクトルを利用する手順と、
を有する方法。
【請求項１６】
受信した高精細度サイズフィールドを、動きベクトルを生成する際に利用される標準精細度サイズフィールドへダウンサンプリングする手順を更に有する請求項１５記載の方法。
【請求項１７】
フィールドレート・アップコンバージョンされた高精細度サイズフィールド内での動き平滑化のためスケーリングされた動きベクトルを後処理する手順を更に有する請求項１６記載の方法。
【請求項１８】
前のフレームからの動き補償された画素値と後のフィールドからの動き補償された画素値の差が閾値の範囲内に収まるならば、中間フィールドの動き補償の平均化を利用する手順を更に有する請求項１６記載の方法。
【発明の詳細な説明】
【０００１】
本発明は、一般的に、映像信号変換に係わり、特に、高精細度ディスプレイ用のフィルム素材の動き補償付きのフィールドレート・アップコンバージョンに関する。
【０００２】
高品位テレビシステム委員会（ＡＴＳＣ）のデジタルテレビジョン（ＤＴＶ）規格、特に、高精細度テレビ（ＨＤＴＶ）に準拠した放送の出現によって、フィルム素材を高精細度テレビ受像機に表示させる必要が生じる。フィールドレート、すなわち、Ｈｚ単位で表現された１秒あたりの完全フィールド画像の数、つまり、フレーム数は、高精細度テレビの場合、少なくとも５０乃至６０Ｈｚであり、最大で１００乃至１２０Ｈｚである。しかし、歴史的な電子−機械の関係の理由から、フィルム素材を作成する際に利用される動画像カメラは、従来、毎秒２４フレームの撮影速度で動作している。最新式の動画像カメラは改良されているが、現像している多数のフィルムは標準的な撮影速度で記録されたものである。さらに、２４Ｈｚで撮影されたフィルムは、高解像度に転写した場合、高精細度カメラに匹敵する品質が得られるので、フィルム制作会社が高精細度カメラを購入するために従来のカメラの使用を中止する動機を取り除いている。
【０００３】
フィルム素材をより高速の表示フィールドレートへ変換することは、一般に、公知の３：２プルダウン技術又は２：２プルダウン技術を利用する簡単なフィールド繰り返しによって行われる。しかし、このような簡単なフィールド繰り返しによるフィールドレート・アップコンバージョンは、運動中の物体が繰り返しの動きフェーズ中に期待される時空間位置から僅かしか移動しない場合に、各動き、又は、動きフェーズ（すなわち、フレーム）を複数回に亘って表示させる。このため、動きが遅い物体の場合に動きのブラー（ぼけ）が発生し、物体が高速で動く場合に、動きにジャークが生じる。
【０００４】
アップコンバージョンされたフィムル素材の動き描写を改良するため、動きフェーズの数を増加する必要がある。動き補償付きのアップコンバージョン技術は、フィルム素材を標準精細度（ＳＤ）テレビへアップコンバージョンする際に、この汎用的な目的のため開発された。たとえば、〔文献〕Ｇ． ｄｅ Ｈａｎｎ外： “ＩＣ ｆｏｒ Ｍｏｔｉｏｎ Ｃｏｍｐｅｎｓａｔｅｄ Ｄｅ−ｉｎｔｅｒｌａｃｉｎｇ， Ｎｏｉｓｅ Ｒｅｄｕｃｔｉｏｎ， ａｎｄ Ｐｉｃｔｕｒｅ Ｒａｔｅ Ｃｏｎｖｅｒｓｉｏｎ”， Ｉｎｔｅｒｎａｔｉｏｎａｌ Ｃｏｎｆｅｒｅｎｃｅ ｏｎ Ｃｏｎｓｕｍｅｒ Ｅｌｅｃｔｒｏｎｉｃｓ （ＩＣＥＥ） １９９９， ｐｐ．２１２ − ２１３、及び、〔文献〕Ｏ． Ａ． Ｏｊｏ ａｎｄ Ｇ． ｄｅ Ｈａａｎ： “Ｒｏｂｕｓｔ Ｍｏｔｉｏｎ−Ｃｏｍｐｅｎｓａｔｅｄ Ｖｉｄｅｏ Ｕｐ−Ｃｏｎｖｅｒｓｉｏｎ”， ＩＥＥＥ Ｔｒ． Ｏｎ Ｃｏｎｓｕｍｅｒ Ｅｌｅｃｔｒｏｎｉｃｓ， ｖｏｌ．３４， ｎｏ．４， ｐｐ．１０４５−１０５６（Ｎｏｖｅｍｂｅｒ， １９９７）を参照のこと。
【０００５】
フレームレートの高速化に加えて、高精細度テレビは、フィルム若しくは標準精細度テレビ素材よりも４乃至６倍大きい画像サイズを利用する。そのため、高精細度テレビの場合、動き推定のメモリサイズ及び帯域幅要求量は、画素がより高解像度になるので、標準精細度素材に対するこれらの要求量の４乃至６倍に達する。これらの要求量は、消費者問題解決に対し、実現可能性の問題を提起する。
【０００６】
したがって、従来技術では、フィルム素材を高精細度テレビへアップコンバージョンするためのフィルムからビデオへの改良された動き補償技術が必要である。
【０００７】
上記従来技術の欠点を解決するため、本発明の第１の目的は、ビデオ受像機で使用するための、高精細度映像信号が前フィルタ処理されダウンサンプル処理されて標準精細度画像サイズになる映像コンバータシステムを提供することである。フィールドレート・アップコンバージョンのため利用される標準精細度動き補償器は、標準精細度画像の動きベクトルを評価するため利用される。得られた動きベクトルは、倍率をかけられ、高精細度画像用のフィールドレートの動き補償付きのアップコンバージョンで使用するための動き平滑化の後処理が施される。関連したメモリサイズ及び帯域幅の要求量、並びに、全体的なコストは、画質を維持したままで、フィルム素材を高精細度ビデオへ動き補償付きでフィールドレート・アップコンバージョンする消費者電子機器を商業的に実現可能にさせる。
【０００８】
本発明の特徴及び技術的効果を包括的に説明したので、当業者は、以下の本発明の詳細な説明をよりよく理解できるであろう。請求項に係わる発明の主題を形成する本発明の更なる特徴及び効果は、後述される。当業者は、開示された概念及び具体的な実施例に基づいて、容易に、本発明と同じ目的を実現する構成を変更し、或いは、他の構成を設計するであろう。当業者は、このような等価的な構成は、本発明の精神及び範囲の外延に含まれることを認めるであろう。
【０００９】
本発明の詳細な説明を始める前に、本明細書で使用されるある種の単語若しくは句を定義しておく方が都合がよい。用語「含む」、「有する」、「構成される」のような単語、及び、これらの単語の派生語は、制限の無い包含を表し、用語「又は」は包含的であり、「及び／又は」を意味し、句「関連している」並びにそのから派生した句は、包括される、相互接続する、包含される、接続する、結合する、通信できる、協働する、交互配置する、並列する、近接する、境界を接する、保有する、性質がある、などの意味を含む。用語「コントローラ」は、少なくとも一つの動作を制御する装置、システム、或いは、システムの一部であり、これらの装置は、ハードウェア、ファームウェア、ソフトウェア、又は、これらのうちの少なくとも二つの組み合わせを意味する。特定のコントローラに関連した機能は、集中的でも分散的でも、局部的でも遠隔的でも構わないことに注意する必要がある。ある種の単語及び句の定義は明細書中で与えられ、当業者は、このような定義が、このように定義された語及び句の過去及び未来の用法に、殆どではなくても多くの場合に適用されることを認めるであろう。
【００１０】
本発明及び本発明の効果を完全に理解するために、以下の説明を添付図面と共に提示する。添付図面中、同じ番号は同じものを指定する。
【００１１】
本明細書において以下で説明する図１乃至４、及び、本発明の原理を説明するため使用される多数の実施例は、あくまでも例示であって、本発明の範囲を制限するために構成されるべきではない。当業者は、本発明の原理が適切に構成された装置において実現されることを認めるであろう。
【００１２】
図１は、本発明の一実施例に従って高精細度テレビ表示のためアップコンバージョンされたフィルム素材の改良された動き補償を利用する映像システムを示す図である。システム１００は、ビデオ受像機１０１を含み、本実施例の場合、このビデオ受像機１０１は、地上波放送、衛星放送又はケーブル放送を受信する高精細度テレビ（ＨＤＴＶ）受像機である。或いは、受像機１０１は、中間トランシーバー、若しくは、映像信号を送受信するため利用される任意の他の装置、たとえば、高精細度テレビによって受信するためのビデオ情報を再送信するトランシーバー、でもよい。何れの実施例でも、受像機１０１は、以下で詳述する動き補償メカニズムを備える。
【００１３】
受像機１０１は、映像信号を受信する入力１０２を具備し、オプション的に、映像信号を他の装置へ送信する出力１０３を具備する。本実施例の場合、受像機１０１は、高精細度テレビディスプレイ１０４を含み、描画された画像、若しくは、本発明の改良された動き補償技術に従って生成された画像がディスプレイ１０４に表示される。
【００１４】
当業者は、図１には本実施例の高精細度テレビ受像機内の全てのコンポーネントが明示的に描かれていないことがわかるであろう。高精細度受像機及びその内部コンポーネントの一般的に知られている構造及び動作の中で、本発明に固有のもの、及び／又は、本発明を理解するために必要とされるものだけが、図示され、説明される。
【００１５】
図２は、本発明の一実施によるフィルムから高精細度ビデオへのコンバータシステムを詳細に示す図である。映像コンバータシステム２００は、ビデオ受像機１０１内に組み込まれ、標準精細度（ＳＤ）映像信号を受信する入力１０２ａ及び高精細度（ＨＤ）映像信号を受信する入力１０２ｂを含む。入力１０２ｂで受信された高精細度映像信号は、高精細度ディスプレイに要求される画像解像度が増大しているが、高精細度ディスプレイ用のフィールドレート・アップコンバージョンが依然として必要になる。映像コンバータシステム２００は、標準精細度（ＳＤ）出力１０３ａ及び高精細度（ＨＤ）出力１０３ｂを更に具備する。
【００１６】
本発明では、フルサイズの高精細度画像に対して動き補償を実行するのではなく、動き補償処理が縮小された画像に関して動き補償処理を実行する。これにより複雑さ及びメモリ要求量が低下し、同時に、標準高精細解像度信号用の従来の動き推定器を利用して調節される動きレンジが増大する。
【００１７】
映像コンバータシステム２００内のマルチプレクサ２０１は、利用可能性Ｏ帯出力要求に応じて、標準精細度映像信号若しくは高精細度映像信号を処理するため入力１０２ａ若しくは１０２ｂから選択することができる。ビデオ受像機１０１の別の部分（図示せず）は、高精細度フィールドを生成するため、空間解像度アップコンバージョンを実行する。高精細度映像信号が選択されたとき、フレームは、最初に、前フィルタ及びダウンサンプルユニット２０２によって実行されるダウンコンバージョン若しくはサブサンプリングによって標準解像度に変換される。
【００１８】
ユニット２０２によって実行されるダウンサンプリングは、異なる高精細度サイズ系列毎に変化するダウンサンプリング倍率を利用する（たとえば、１４４０×１０８０サイズの画像用の水平次元及び垂直次元の両方の次元のダウンサンプリング倍率は２であり、１９２０×１０８０サイズの画像用の水平次元のダウンサンプリング倍率は３であり、垂直次元の倍率は２である。）。前フィルタリングは、疑似アーティファクトを防止するためユニット２０２内でダウンサンプリグの前に実行される。前フィルタ処理された内容は、以下の式に従って両方向で２若しくは３の倍率でダウンダンプリングされる。
【００１９】
もし、（水平サイズ＞１４４０  かつ  水平サイズ≦２１６０）
または
（垂直サイズ＞１１５２  かつ  垂直サイズ≦１７２８）
であるならば、
ダウンサンプル倍率＝３
であり、さもなければ、
ダウンサンプル倍率＝１
である｛ダウンダンプリングは不要であり、標準精細度画像である｝
式中、水平サイズは１ライン当たりの画素数であり、垂直サイズは１フレーム当たりのライン数である。２１６０×１７２８よりも大きいサイズの画像は、４以上のダウンサンプル倍率を必要とし、本例の場合には組み込まれていない。
【００２０】
Ｐｈｉｌｉｐｓ Ｓｅｍｉｃｏｎｄｕｃｔｏｒ ＩＣ ＳＡＡ４９９２（動き補償、デ・インターレース、ノイズ除去、及び、標準精細度映像信号への画像レートコンバージョンを行う）のような既存の標準精細度動き推定器２０３が、ダウンサンプルされた標準精細度サイズのフレーム上で動きベクトルを生成するため、好ましくは、動きベクトルが付加的な機能を用いない抽出用のカラーデータとして画像にかぶせられる、動きベクトルオーバーレイモードで、利用される。動き補償付きのデ・インターレース処理、ノイズ除去処理、及び、画像レート変換処理は、動き推定器２０３によって実行してもよい。
【００２１】
動き推定器２０３によって生成される標準精細度動きベクトルは、次式、
ｍｖｘＨＤ［（ダウンサンプリ倍率）×ｉ，（ダウンサンプル倍率）×ｊ］
＝（ダウンサンプル倍率）×ｍｖｘ（Ｉ，ｊ）
ｍｖｙＨＤ［（ダウンサンプリ倍率）×ｉ，（ダウンサンプル倍率）×ｊ］
＝（ダウンサンプル倍率）×ｍｖｙ（Ｉ，ｊ）
に従って、倍率をかけられた高精細度速度へ変換される。
【００２２】
両方の速度（大きさ）及び動きベクトルの位置は、標準精細度画像内の２×２画素のブロックへの動きベクトルの適用が、（ダウンサンプル係数×２）×（ダウンサンプル係数×２）がそのブロックに適用できるように、倍率をかけられることがわかる。このようにして、ダウンサンプル係数が２である場合、２×２画素のブロック用の標準精細度動きベクトルは、高精細度画素のため利用される場合、標準精細度画像のサイズの４倍に倍率をかけられ、同じ動きベクトルが４×４の画素ブロックに関係する。
【００２３】
スケーリングによって動きベクトルの精度が損なわれる。たとえば、ＳＡＡ４９９２集積回路動き推定器によって生成された動きベクトルは、０．２５画素の精度である。倍率２をかけた後、動きベクトルは、名目上の精度が０．５画素であるが、前フィルタリング及びダウンダンプリング中の平滑化は真の精度を良くない精度に低下させる。この倍率をかけられた動きベクトルは、特にエッジでは、あまい信頼できない。
【００２４】
したがって、倍率をかけられた動きベクトルはユニット２０４によって後処理される。後処理は、高精細度解像度に適したスケーリング後の動きベクトルを生成するために必要である。上述のような大きな量子化係数（４×４ブロックのため利用された２×２ブロック用の動きベクトル）は、画像内の、特に、対象物境界で、邪魔になるアーティファクトを生じさせる。このように、後処理は、ブロック内の画素の標準精細度大域的速度を局所的速度へ精緻化するため、動き平滑化に必要である。
【００２５】
スケール処理された標準精細度動きベクトルの精緻化に続いて、高精細度動き補償がアップコンバージョンユニット２０５内で実行される。よく知られているアップコンバージョンの方法は平均化である。この方法では、フレーム、フィールド、関連した動きベクトル、フレーム及びフィールドから動き補償された画像が平均化される。この方法は、簡単であり、かつ、動きベクトルが正確である場合に有効であり、フレームとフィールのため動き補償された画素値が一致する。さもなければ、フレーム及びフィールドに対して動き補償された画素値の間の差は、平均化が実行されたときに、画像にブラー（ぼけ）を生じさせる。
【００２６】
平均化は動きの大きい領域のような状況で有効である。なぜならば、良好な動き補償を実行できない場合、平均化は、誤りのある補償を平均化し、同時に画像にボケを生じさせることによって悪い動きベクトルをマスクするからである。対象領域が高速で運動するとき、視覚は、いずれにしても瞬間のディテールを認知できない。しかし、このようなブラーは、低速で動く領域では認知できなくなる。したがって、平均化が利用される。フレームから動き補償された画素がフィールドから動き補償された画素と接近している場合、動きベクトルは正確であると仮定され、或いは、動きベクトルがある領域で非常に大きい速度を持つ場合、特定の領域が連続したフレームに亘って急速に移動している。
【００２７】
図３は、本発明の一実施例によるフィルムから高精細度映像へのコンバータシステムのため近傍相関を使用する動き補償の説明図である。付加的な動き推定を必要とすることなく、画像のブラーを防止するため、近傍相関が動き補償のため利用される。標準精細度画像に基づいて生成された適切にスケーリングされた動きベクトル、時点Ｔにおける（先行）高精細度フレームＡ、時点Ｔ＋１における（次の）高精細度フィールドＢ、及び、動き補償フィールドの原因領域（画素Ａ１〜Ａ５と、対応した画素Ｂ１〜Ｂ５）は、何れも、中間の動き補償された、時点Ｔ＋１／２における高精細度フィールドＣを生成する際に、動き補償を実行するため利用可能である。
【００２８】
上述の通り、スケーリングされた動きベクトルは、大域的に正確であるが、０．５画素以下の精度には達しない。スケーリングされた動きベクトルは、１乃至２画素の精度であり、これは、動き補償が平均化を用いて行われたとき、エッジにぼけが生じることを意味する。しかし、このぼけは、フレームＡで動き補償された画素と、フィールドＢで動き補償された画素の一方だけを利用することによって、両方を平均化しなくても、回避される。
【００２９】
フィールドＣ内の画素Ｃ４に対して、適切な値を見つける問題を考える。フレームＡの画素Ａ４は、動き補償された画素Ｃ４に対応する画素であり、画素Ｂ４は、画素Ｃ４に対応してフィールドＢで動き補償された画素である。画素Ａ４と画素Ｂ４を平均化すると、
Ｃ４＝（Ａ４＋Ｂ４）／２
のようになる。
【００３０】
Ａ４とＢ４が大幅に異なる場合、すなわち、いずれかの動きベクトルが不正確であるか、又は、領域がその画素における動きによってカバーされているか、若しくは、カバーされていない場合、平均化を行うべきではなく、二つの画素Ａ４及びＢ４のうち一方だけ（両方ではなく）を動き補償のため利用すべきである。すなわち、Ｃ４＝Ａ４又はＣ４＝Ｂ４である。Ａ４又はＢ４の選択は、画素Ｃ４の近傍と、対応した画素Ａ４及びＢ４の近傍との間の相関に基づいて行われる。画素Ｃ４の原因となる近傍が画素Ａ４の対応した近傍と一致する場合、画素Ａ４の値は、画素Ｃ４の値として選択され、一致しない場合、画素Ｂ４の近傍は画素Ｃ４の近傍と比較され、ある限度内で一致した場合、画素Ｂ４の値が画素Ｃ４の値として選択される。
もし  （Ａの相関＜閾値）  であるならば、
Ｃ４＝Ａ４
そうではなく、もし  （Ｂの相関＜閾値）  であるならば、
Ｃ４＝Ｂ４
であり、ここで、
Ａの相関＝｜Ａ１−Ｃ１｜＋｜Ａ２−Ｃ２｜＋｜Ａ３−Ｃ３｜＋｜Ａ５−Ｃ５｜であり、
Ｂの相関＝｜Ｂ１−Ｃ１｜＋｜Ｂ２−Ｃ２｜＋｜Ｂ３−Ｃ３｜＋｜Ｂ５−Ｃ５｜である。
【００３１】
動き補償済みのフィールドＣからの近傍画素を使用することによって、正しいフレーム／フィールドからの画素値が利用されたかどうかを検証するのに役立つ。平均化によって生じた殆どのぼけは除去され、鮮明な動き補償画像が得られる。領域がカバーされるか、若しくは、カバーされない場合、この動き補償方法によって、二つの利用可能な画素値の中からよりよい画素値を選択できるようになり、カバー領域又はアンカバー領域が改良される。
【００３２】
図４は、本発明の一実施例によるフィルムから高精細度映像への変換方法の上位フローチャートである。この方法４００は、フィールドレート・アップコンバージョンのための映像信号の受信から始まる（ステップ４０１）。受信映像信号が高精細度空間解像度若しくはサイズである場合、受信されたフィールドは、最初に、前フィルタ処理及びダウンコンバート処理され、標準精細度空間解像度に変換される（ステップ４０２）。
【００３３】
次に、従来の技術によるダウンサンプル標準精細度映像フィールド上の動き推定が行われ（ステップ４０３）、得られた動きベクトルは、高精細度映像フィールドのフィールドレート・アップコンバージョンで使用するためスケーリング及び後処理が施される（ステップ４０４）。高精細度映像フィールド用のフィールドレートは、スケール処理、後処理された動きベクトルを利用する動き補償と共にアップコンバートされる（ステップ４０５）。この方法は、映像信号が無くなるか、或いは、停止されるまで、繰返し実行される。
【００３４】
本発明は、高精細度ディスプレイ用のアップコンバートされたフィルムの動き像を高い費用効果率で改良する。高精細度フィールドのフィールドレート・アップコンバージョンで使用するためのダウンサンプルされた標準精細度フィールドで推定された動きベクトルの精緻化は、従来の方法で得られる像よりも画質を向上させ、特に、鮮明さを保存する。
【００３５】
本発明は、完全に機能的なビデオ受像機の文脈で説明されているが、当業者は、少なくとも本発明のメカニズムの一部分が多様な形式で命令を格納するコンピュータで使用可能な媒体の形式で配布され得ること、並びに、本発明が配布されたものを実際に実行するため利用される信号搬送媒体の具体的なタイプとは無関係に同じように適用されることを認めるであろう点が重要である。コンピュータ使用可能な媒体には、読出し専用メモリ（ＲＯＭ）若しくは消去可能電気的プログラマブル読出し専用メモリ（ＥＥＰＲＯＭ）のような不揮発性の固定コード化タイプの媒体、フレキシブルディスク、ハードディスクドライブ及びコンパクトディスク読出し専用メモリ（ＣＤ−ＲＯＭ）、又は、デジタル多目的ディスク（ＤＶＤ）のような記録可能タイプの媒体、並びに、デジタル及びアナログ通信リンクのような伝送タイプの媒体が含まれる。
【００３６】
本発明を詳細に説明したが、当業者は、開示された発明の種々の変形、置換、変化、機能強化、特別な意味付け、段階的変化、フォームの減少、代替、改定、改良、及び、模倣が、本発明の外延による精神及び範囲を逸脱することなく行われることを認めるであろう。
【図面の簡単な説明】
【図１】
本発明の一実施例による、高精細度テレビ表示用のアップコンバートされたフィルム素材の改良された動き補償を利用する映像システムの構成図である。
【図２】
本発明の一実施例によるフィルムから高精細ビデオへのコンバータシステムの詳細図である。
【図３】
本発明の一実施例によるフィルムから高精細ビデオへのコンバータシステムのための近傍相関をする動き補償の説明図である。
【図４】
本発明の一実施例によるフィルムから高精細ビデオへの変換処理の上位レベルフローチャートである。
【図１】
2004515980.tif 000003
【図２】
2004515980.tif 000004
【図４】
2004515980.tif 000005
【国際公開パンフレット】
2004515980.tif 000006
2004515980.tif 000007
2004515980.tif 000008
2004515980.tif 000009
2004515980.tif 000010
2004515980.tif 000011
2004515980.tif 000012
2004515980.tif 000013
2004515980.tif 000014
2004515980.tif 000015
2004515980.tif 000016
2004515980.tif 000017
2004515980.tif 000018
2004515980.tif 000019
2004515980.tif 000020
2004515980.tif 000021
【国際公開パンフレット（コレクトバージョン）】
2004515980.tif 000022
【国際調査報告】
2004515980.tif 000023
2004515980.tif 000024
2004515980.tif 000025
2004515980.tif 000026
2004515980.tif 000027